(57)【要約】      （修正有）【課題】建築物の屋内用壁素材に関し、縦、横に帯状部材を複数本織り込み、それらの少なくとも一本以上に弾性を持たせることで、当該弾性を有する帯状部材と壁面との間に、被取付物を保持することができるようにする。【解決手段】縦、横に帯状部材３０、４０を複数本織り込んで形成する建築物の屋内用壁素材１０である。複数本の帯状部材３０、４０のうち、少なくとも一本以上には、弾性を有する。当該弾性を有する帯状部材３０、４０と、壁素材１０を固定する壁面２０との間で、被取付物を保持可能とした。弾性を有する帯状部材３０、４０は、付勢手段を有する巻き戻し機構５０により、弾性を付与するようにしても良い。複数本の帯状部材３０、４０のうち、少なくとも一本以上には、当該帯状部材３０、４０単独で、被取付物を収納可能な袋状の収納部６０を設けても良い。【選択図】図１
2012154072.tif 000002
【特許請求の範囲】
【請求項１】
縦、横に帯状部材を複数本織り込んで形成する建築物の屋内用壁素材において、
前記複数本の帯状部材のうち、少なくとも一本以上には、
弾性を有し、
当該弾性を有する帯状部材と、前記壁素材を固定する壁面との間で、被取付物を保持可能としたことを特徴とする建築物の屋内用壁素材。
【請求項２】
前記弾性を有する帯状部材は、
付勢手段を有する巻き戻し機構により、弾性を付与していることを特徴とする請求項１に記載の建築物の屋内用壁素材。
【請求項３】
前記複数本の帯状部材のうち、少なくとも一本以上には、
当該帯状部材単独で、前記被取付物を収納可能な袋状の収納部を設けたことを特徴とする請求項１又は請求項２に記載の建築物の屋内用壁素材。
【請求項４】
前記複数本の帯状部材のうち、少なくとも一本以上は、
前記被取付物を吊り下げて保持可能なメッシュ状に形成されていることを特徴とする請求項１〜３のいずれか１項に記載の建築物の屋内用壁素材。
【請求項５】
前記複数本の帯状部材のうち、少なくとも一本以上には、
当該帯状部材の表裏面に貫通し、前記被取付物を吊り下げて保持可能な開口を設けていることを特徴とする請求項１〜４のいずれか１項に記載の建築物の屋内用壁素材。
【請求項６】
前記開口を、
格子状に複数個設けていることを特徴とする請求項５に記載の建築物の屋内用壁素材。
【発明の詳細な説明】
【技術分野】
【０００１】
この発明は、建築物の屋内用壁素材に関し、縦、横に帯状部材を複数本織り込み、それらの少なくとも一本以上に弾性を持たせることで、当該弾性を有する帯状部材と壁面との間に、被取付物を保持することができるようにしたものである。
【背景技術】
【０００２】
従来、木製の板材に、円形孔を貫通状に設け、当該円形孔に金属製の円柱状の係止具の一端部を着脱自在に挿入し、係止具の他端部に懐中電灯等の物品を吊り下げて支持することができるようにした収納兼飾り壁が知られている（例えば特許文献１の段落番号「００１２」、「００１３」、「００１６」、図１、図３及び図５参照）。
【先行技術文献】
【特許文献】
【０００３】
【特許文献１】特開2002-21291号公報
【発明の概要】
【発明が解決しようとする課題】
【０００４】
しかし、上記した従来の収納兼飾り壁では、懐中電灯等の物品の取り付け時に、係止具が別に必要となり、部品点数が多く、係止具の着脱や保管が面倒であり、又、係止具を紛失し易いという問題点があった。
そこで、各請求項にそれぞれ記載された各発明は、上記した従来の技術の有する問題点に鑑みてなされたものであり、その目的とするところは、次の点にある。
（請求項１）
請求項１に記載の発明は、次の点を目的とする。
【０００５】
すなわち、請求項１に記載の発明は、縦、横に帯状部材を複数本織り込み、それらの少なくとも一本以上に弾性を持たせることで、当該弾性を有する帯状部材と壁面との間に、被取付物を保持することができるようにしたものである。
このため、請求項１に記載の発明によれば、上記した従来の収納兼飾り壁の係止具が不要となり、部品点数を減少することができるという利点がある。
【０００６】
これに加え、請求項１に記載の発明によれば、縦、横に織り込まれた帯状部材が、壁の模様としても見え、意匠的な効果も期待できる。
（請求項２）
請求項２に記載の発明は、上記した請求項１に記載の発明の目的に加え、次の点を目的とする。
【０００７】
すなわち、請求項２に記載の発明は、帯状部材の素材自体に弾性が無い場合にも、付勢手段を有する巻き戻し機構により、弾性を付与することができるようにしたものである。（請求項３）
請求項３に記載の発明は、上記した請求項１又は請求項２に記載の発明の目的に加え、次の点を目的とする。
【０００８】
すなわち、請求項３に記載の発明は、被取付物を収納可能な袋状の収納部を帯状部材に設けることで、当該帯状部材単独で被取付物を保持することができるようにしたものである。
（請求項４）
請求項４に記載の発明は、上記した請求項１〜３のいずれか１項に記載の発明の目的に加え、次の点を目的とする。
【０００９】
すなわち、請求項４に記載の発明は、被取付物を吊り下げて保持可能なメッシュ状に帯状部材を形成することで、当該帯状部材単独で被取付物を保持することができるようにしたものである。
（請求項５）
請求項５に記載の発明は、上記した請求項１〜４のいずれか１項に記載の発明の目的に加え、次の点を目的とする。
【００１０】
すなわち、請求項５に記載の発明は、帯状部材の表裏面に貫通し、被取付物を吊り下げて保持可能な開口を設けることで、当該帯状部材単独で被取付物を保持することができるようにしたものである。
（請求項６）
請求項６に記載の発明は、上記した請求項５に記載の発明の目的に加え、次の点を目的とする。
【００１１】
すなわち、請求項６に記載の発明は、開口を格子状に複数個設けることで、他種類の被取付物を保持することができるようにしたものである。
これに加え、請求項６に記載の発明によれば、格子状に設けられた複数個の開口が、壁の模様としても見え、意匠的な効果も期待できる。
【課題を解決するための手段】
【００１２】
各請求項にそれぞれ記載された各発明は、上記した各目的を達成するためになされたものであり、各発明の特徴点を図面に示した発明の実施の形態を用いて、以下に説明する。
なお、カッコ内の符号は、発明の実施の形態において用いた符号を示し、本発明の技術的範囲を限定するものではない。
また、図面番号も、発明の実施の形態において用いた図番を示し、本発明の技術的範囲を限定するものではない。
（請求項１）
請求項１に記載の発明は、次の点を特徴とする。
【００１３】
第１に、例えば図１及び図２に示すように、縦、横に帯状部材(30,40)を複数本織り込んで形成する建築物の屋内用壁素材(10)である。
第２に、複数本の帯状部材(30,40)のうち、少なくとも一本以上には、例えば図３及び図４に示すように、弾性を有する。
第３に、当該弾性を有する帯状部材(30,40)と、壁素材(10)を固定する壁面(20)との間で、例えば図３及び図４に示すように、被取付物（例えばボール100）を保持可能とした。
（請求項２）
請求項２に記載の発明は、上記した請求項１に記載の発明の特徴点に加え、次の点を特徴とする。
【００１４】
すなわち、弾性を有する帯状部材(30,40)は、例えば図３及び図４に示すように、付勢手段を有する巻き戻し機構(50)により、弾性を付与している。
（請求項３）
請求項３に記載の発明は、上記した請求項１又は請求項２に記載の発明の特徴点に加え、次の点を特徴とする。
【００１５】
すなわち、複数本の帯状部材(30,40)のうち、少なくとも一本以上には、例えば図７及び図８に示すように、当該帯状部材（例えば横側の帯状部材40b）単独で、被取付物（例えばカード160）を収納可能な袋状の収納部(60)を設けた。
（請求項４）
請求項４に記載の発明は、上記した請求項１〜３のいずれか１項に記載の発明の特徴点に加え、次の点を特徴とする。
【００１６】
すなわち、複数本の帯状部材(30,40)のうち、少なくとも一本以上は、例えば図９に示すように、被取付物（例えばフック120を介してマスコット170）を吊り下げて保持可能なメッシュ状に形成されている。
（請求項５）
請求項５に記載の発明は、上記した請求項１〜４のいずれか１項に記載の発明の特徴点に加え、次の点を特徴とする。
【００１７】
すなわち、複数本の帯状部材(30,40)のうち、少なくとも一本以上には、例えば図１１に示すように、当該帯状部材（例えば横側の帯状部材40a）の表裏面に貫通し、被取付物（例えばフック120を介してアクセサリー200）を吊り下げて保持可能な開口(80)を設けている。
（請求項６）
請求項６に記載の発明は、上記した請求項５に記載の発明の特徴点に加え、次の点を特徴とする。
【００１８】
すなわち、開口(80)を、例えば図１１に示すように、格子状に複数個設けている。
【発明の効果】
【００１９】
本発明は、以上のように構成されているので、以下に記載されるような効果を奏する。（請求項１）
請求項１に記載の発明によれば、次のような効果を奏する。
すなわち、請求項１に記載の発明によれば、縦、横に帯状部材を複数本織り込み、それらの少なくとも一本以上に弾性を持たせることで、当該弾性を有する帯状部材と壁面との間に、被取付物を保持することができる。
【００２０】
これに加え、請求項１に記載の発明によれば、縦、横に織り込まれた帯状部材が、壁の模様としても見え、意匠的な効果も期待できる。
（請求項２）
請求項２に記載の発明によれば、上記した請求項１に記載の発明の効果に加え、次のような効果を奏する。
【００２１】
すなわち、請求項２に記載の発明によれば、帯状部材の素材自体に弾性が無い場合にも、付勢手段を有する巻き戻し機構により、弾性を付与することができる。
（請求項３）
請求項３に記載の発明によれば、上記した請求項１又は請求項２に記載の発明の効果に加え、次のような効果を奏する。
【００２２】
すなわち、請求項３に記載の発明によれば、被取付物を収納可能な袋状の収納部を帯状部材に設けることで、当該帯状部材単独で被取付物を保持することができる。
（請求項４）
請求項４に記載の発明によれば、上記した請求項１〜３のいずれか１項に記載の発明の効果に加え、次のような効果を奏する。
【００２３】
すなわち、請求項４に記載の発明によれば、被取付物を吊り下げて保持可能なメッシュ状に帯状部材を形成することで、当該帯状部材単独で被取付物を保持することができる。（請求項５）
請求項５に記載の発明によれば、上記した請求項１〜４のいずれか１項に記載の発明の効果に加え、次のような効果を奏する。
【００２４】
すなわち、請求項５に記載の発明によれば、帯状部材の表裏面に貫通し、被取付物を吊り下げて保持可能な開口を設けることで、当該帯状部材単独で被取付物を保持することができる。
（請求項６）
請求項６に記載の発明によれば、上記した請求項５に記載の発明の効果に加え、次のような効果を奏する。
【００２５】
すなわち、請求項６に記載の発明によれば、開口を格子状に複数個設けることで、他種類の被取付物を保持することができる。
これに加え、請求項６に記載の発明によれば、格子状に設けられた複数個の開口が、壁の模様としても見え、意匠的な効果も期待できる。
【図面の簡単な説明】
【００２６】
【図１】壁素材の一部平面図である。
【図２】壁素材にハンガーを取り付けた状態の一部平面図である。
【図３】巻き戻し機構を説明するための断面図である。
【図４】図３に対応し、ボールの保持状態を示す断面図である。
【図５】バックを取り付けた状態の一部平面図である。
【図６】クリップを使用してカードを取り付けた状態の一部平面図である。
【図７】収納部を有する帯状部材の一部平面図である。
【図８】収納部を有する帯状部材の一部斜視図である。
【図９】メッシュ素材を使用した帯状部材の一部平面図である。
【図１０】他のメッシュ素材を使用した帯状部材の一部平面図である。
【図１１】開口を有する帯状部材の一部平面図である。
【発明を実施するための形態】
【００２７】
（壁素材10）
図中、10は、建築物の屋内用壁素材を示し、図３及び図４に示すように、壁面20に固定される。
壁素材10は、シート状のものであり、図１及び図２に示すように、縦、横に帯状部材30,40を複数本織り込んで形成する。
（巻き戻し機構50）
複数本の帯状部材30,40のうち、少なくとも一本以上には、弾性を有する。
【００２８】
具体的には、図３及び図４に示すように、バネ等の付勢手段（図示せず）を有する巻き戻し機構50により、弾性を付与している。
すなわち、巻き戻し機構50のリールに、縦側の帯状部材30の上端部から巻き付けた状態で、当該リールを壁面20の上部に固定する。リールから引き出した縦側の帯状部材30の下端部を、固定部材51を介して壁面20の下部に固定する。
【００２９】
巻き戻し機構50は、内部のバネ等の付勢手段（図示せず）の付勢力により、縦側の帯状部材30をリールに巻き戻そうとする張力が働く。
このため、図４に示すように、縦側の帯状部材30の裏側にボール100等の被取付物を挟み込むと、巻き戻し機構50の張力により、ボール100が壁面20に押し付けられて保持される。
【００３０】
なお、巻き戻し機構50により弾性を付与したが、これに限定されず、帯状部材30,40の素材にゴム等を使用し、それ自身で弾性を有するようにしたり、或いは帯状部材30,40の一部にゴム等を使用し、弾性を付与しても良い。
（帯状部材30,40）
帯状部材30,40は、例えば布製で、その帯幅や色、素材等に変化を持たせている。
【００３１】
なお、帯状部材30,40として、布製を例示したが、これに限定されず、革、フエルト、毛糸、軟質樹脂、金属等でも良く、これらを混在させても良い。また、帯状部材30,40として、布製等の柔らかいものを例示したが、これに限定されず、固いもの、伸びるもの、伸びないもの等でも良いし、これらの様々な性質を持つ素材を混在させても良い。さらに、キッチンとリビングとを繋ぐ壁に固定する場合には、リビング側には布、革、フエルト、毛糸等のファブリックの優しい感じを多く取り入れ、キッチンに近づくにつれて軟質樹脂、金属等の汚れにも耐えられる素材に徐々に変化させても良い。
【００３２】
帯状部材30,40は、図１及び図２に示すように、縦側の帯状部材30と、横側の帯状部材40とから構成され、縦側の帯状部材30と横側の帯状部材40とを表裏方向に交互にくぐらせるようにして織り込み、シート状の壁素材10としている。
（図２の使用例）
図２の例では、ハンガー110のフック部を、横側の帯状部材40gの裏側、すなわち壁面20（図示せず）との間に引っ掛けて保持している。
（図５の使用例）
図２の例では、横側の帯状部材40gの長さの途中に、ハンガー110のフック部を引っ掛けたが、図５に示すように、縦側の帯状部材30bとの交点の位置に、横側の帯状部材40cの裏側、すなわち縦側の帯状部材30aとの間に、フック120の一端部を掛け、当該フック120の他端部にバッグ130を吊り下げて保持している。
（図６の使用例）
図６の例では、クリップ140で縦側の帯状部材30cを挟み込み、当該クリップ140を介してカード150を保持している。
（図７及び図８の使用例）
図７の例では、横側の帯状部材40bに、袋状の収納部60を設け、当該収納部60内に、ケース160を差し込んで収納できるようにしている。
【００３３】
収納部60は、図８に示すように、幅広の帯状部材40bを下側から上側に向かって略Ｕ字形に折り返して形成している。
（図９の使用例）
図９の例では、横側の帯状部材40fに、メッシュ状のメッシュ素材70を使用している。メッシュ素材70には、その編み目にフック120の一端部を掛け、当該フック120の他端部にマスコット170を吊り下げて保持している。また、メッシュ素材70の内側を、壁面20（図示せず）との間でポケット状に形成しておくことで、壁面20（図示せず）との間にマスコット170を入れて収納している。
（図１０の使用例）
図１０の例では、メッシュ素材70の編み目を小さくしたものであり、ポケット状の内側に、しおり180やノート190を収納している。
（図１１の使用例）
図１１の例では、横側の帯状部材40aを幅広に形成し、表裏面に貫通する方形、或いは菱形の開口80を格子状に複数個設けている。開口80には、フック120の一端部を掛け、当該フック120の他端部にアクセサリー200を吊り下げて保持している。
【００３４】
なお、被取付物として、ボール100、ハンガー110、フック120、バッグ130、クリップ140、カード150、ケース160、マスコット170、しおり180、ノート190、アクセサリー200を例示したが、これらに限定されない。
【符号の説明】
【００３５】
10  壁素材                    20  壁面
30,30a〜30c 縦側の帯状部材     40,40a〜40g 横側の帯状部材
50  巻き戻し機構                51  固定部材
60  収納部                      70  メッシュ素材
80  開口
100  ボール（被取付物）
110  ハンガー                   120  フック
130  バッグ                     140  クリップ
150  カード                     160  ケース
170  マスコット                 180  しおり
190  ノート                     200  アクセサリー
【図１】
2012154072.tif 000003
【図２】
2012154072.tif 000004
【図３】
2012154072.tif 000005
【図４】
2012154072.tif 000006
【図５】
2012154072.tif 000007
【図６】
2012154072.tif 000008
【図７】
2012154072.tif 000009
【図８】
2012154072.tif 000010
【図９】
2012154072.tif 000011
【図１０】
2012154072.tif 000012
【図１１】
2012154072.tif 000013